(57)【要約】【課題】天井放射パネルにより室内空間と区画形成された天井チャンバーに空調空気を供給する空調装置を備えた空調システムにおいて、室内空間全体を快適に空調することができる技術を提供する。【解決手段】天井放射パネル３０の温度分布を測定する温度分布測定手段１３と、天井放射パネル３０に対する空調空気ＳＡの吹付け方向を変更可能な吹付け方向変更手段１６と、温度分布測定手段１３の測定結果に基づいて吹付け方向変更手段１６を制御して、天井放射パネル３０の温度分布を均一化する温度分布均一化手段２１とを備える。【選択図】図１
2018071837.tif 000002
【特許請求の範囲】
【請求項１】
天井放射パネルにより室内空間と区画形成された天井チャンバーに空調空気を供給する空調装置を備えた空調システムであって、
前記天井放射パネルの温度分布を測定する温度分布測定手段と、
前記天井放射パネルに対する空調空気の吹付け方向を変更可能な吹付け方向変更手段と、
前記温度分布測定手段の測定結果に基づいて前記吹付け方向変更手段を制御して、前記天井放射パネルの温度分布を均一化する温度分布均一化手段とを備えた空調システム。
【請求項２】
前記天井放射パネルに、多数の貫通孔が分散形成されている請求項１に記載の空調システム。
【請求項３】
還気を取込む還気口と空調空気を吹出す給気口とを有する空調装置が、前記天井チャンバーに設置され、
前記吹付け方向変更手段が、前記空調装置に設けられ、前記給気口における空調空気の吹出し方向を変更可能な風向可変機構部で構成されている請求項１又は２に記載の空調システム。
【請求項４】
前記風向可変機構部が、前記給気口の前記還気口側の縁部から外方に延出形成された外方延出フラップを有し、当該外方延出フラップを揺動させて前記給気口における空調空気の吹出し方向を変更する請求項３に記載の空調システム。
【請求項５】
還気を取込む還気口と空調空気を吹出す給気口とを有する空調装置が、前記天井チャンバーに設置され、
前記天井チャンバーにおいて、前記天井放射パネルと前記還気口とを接続する還気空間を、他の給気空間に対して区画する区画壁を備えた請求項２に記載の空調システム。
【請求項６】
前記室内空間の温度を測定する室内温度測定手段と、
前記天井放射パネルの温度を測定するパネル温度測定手段と、
前記空調装置の運転出力を制御する運転制御手段とを備え、
前記運転制御手段が、起動運転時には、前記室内温度測定手段で測定された室内空間の温度に基づいて前記空調装置の運転出力を制御する起動運転制御を実行し、当該起動運転後の通常運転時には、前記パネル温度測定手段で測定された天井放射パネルの温度に基づいて前記空調装置の運転出力を制御する通常運転制御を実行する請求項１〜５の何れか１項に記載の空調システム。
【発明の詳細な説明】
【技術分野】
【０００１】
本発明は、天井放射パネルにより室内空間と区画形成された天井チャンバーに空調空気を供給する空調装置を備えた空調システムに関する。
【背景技術】
【０００２】
従来の空調システムとして、天井放射パネルにより室内空間と区画形成された天井チャンバーに、空調装置から冷却又は加熱後の空調空気を供給するものが知られている（特許文献１及び２を参照。）。
そして、この種の空調システムでは、空調装置から供給された空調空気が天井チャンバーに充満して天井放射パネルに接触することで、その天井放射パネルはその空調空気との接触により冷却又は加熱される。このことで、天井放射パネルでは室内空間に対して熱吸収又は熱放射が行われ、結果、室内空間はこの熱吸収又は熱放射により空調されることになる。
また、これら従来の空調システムでは、天井放射パネルに多数の貫通孔が分散形成されており、天井チャンバーに充満する空調空気が、これら多数の貫通孔を通じて室内空間に流出するように構成されている。以下、この流出状態を「染み出す」等と表現する場合がある。このことで、室内空間は、多数の貫通孔から染み出した空調空気の対流によっても空調されることになる。
【０００３】
更に、特許文献１記載の空調システムでは、天井放射パネル（１６）により室内空間（Ｂ）と区画された天井チャンバー（Ａ）に、還気を取込む還気口と空調空気を吹出す給気口とを有する空調装置（１４）が設置されている。この構成により、空調装置（１４）は、天井チャンバーの空気を還気として取込んで冷却又は加熱し、当該冷却又は加熱後の空気を空調空気として天井チャンバー（Ａ）に供給することができる。
【０００４】
一方、特許文献２記載の空調システムでは、天井チャンバーに空調装置を設置したものではないが、別途設けられた空調装置（４０）で冷却又は加熱された空調空気を、室内空間（Ｒ）の天井部（９１）に設けられた天井チャンバー（１３）に導入している。更に、この特許文献２記載の空調システムでは、放射パネル（１０）の表面温度を検出する表面温度センサ（６１）の検出結果に基づいて、天井チャンバー（１３）への空調空気の供給量を制御することで、放射パネル（１０）の表面温度を設定温度に維持するように構成されている。
【先行技術文献】
【特許文献】
【０００５】
【特許文献１】特開２００６−１３２８２３号公報
【特許文献２】特開２００８−３０４０９６号公報
【発明の概要】
【発明が解決しようとする課題】
【０００６】
このような空調システムでは、室内空間における人の数やその分布並びに季節や天候等によって、室内空間の温度分布が不均一になって、室内空間の快適性が悪化する場合がある。
しかしながら、特許文献１及び２に記載のような、天井チャンバーに空調空気を供給して、天井放射パネルの熱吸収又は熱放射により室内空間の空調を行う従来の空調システムでは、このような室内空間の温度分布を考慮することなく、室内空間や天井放射パネルの代表温度を目標温度に維持するという目的のみで、天井チャンバーに供給される空調空気の温度や供給量を制御しているので、室内空間の温度分布の不均一化を解消することができず、一部の室内空間において快適な空調を実現できないという問題が生じる場合があった。
【０００７】
この実情に鑑み、本発明の主たる課題は、天井放射パネルにより室内空間と区画形成された天井チャンバーに空調空気を供給する空調装置を備えた空調システムにおいて、室内空間全体を快適に空調することができる技術を提供する点にある。
【課題を解決するための手段】
【０００８】
本発明の第１特徴構成は、天井放射パネルにより室内空間と区画形成された天井チャンバーに空調空気を供給する空調装置を備えた空調システムであって、
前記天井放射パネルの温度分布を測定する温度分布測定手段と、
前記天井放射パネルに対する空調空気の吹付け方向を変更可能な吹付け方向変更手段と、
前記温度分布測定手段の測定結果に基づいて前記吹付け方向変更手段を制御して、前記天井放射パネルの温度分布を均一化する温度分布均一化手段とを備えた点にある。
【０００９】
本構成によれば、温度分布均一化手段により、温度分布測定手段の測定結果に基づいて吹付け方向変更手段が制御されることで、天井放射パネルの温度分布を均一化することができる。即ち、天井放射パネルに対して空調空気を吹付けるにあたり、その天井放射パネルの温度が適温（例えば空調空気の温度）から大きく乖離している箇所については空調空気を積極的に吹付け、一方、その天井放射パネルの温度が適温である箇所については空調空気の吹付けが控えられる。
よって、天井放射パネルの温度分布が均一化されることで、天井放射パネルによる熱吸収又は熱放射が均一化されることになるので、この熱吸収又は熱放射により温度される室内空間の温度分布が均一化されることになり、結果、室内空間全体を快適に空調することができる。
【００１０】
本発明の第２特徴構成は、前記天井放射パネルに、多数の貫通孔が分散形成されている点にある。
【００１１】
本構成によれば、天井チャンバーに供給された空調空気が、温度分布均一化手段により温度分布が均一化された天井放射パネルに分散形成された多数の貫通孔を通過して、室内空間に染み出されることになる。このことで、室内空間に染み出される空調空気の温度分布は天井放射パネル全体において均一化されることになり、その均一な温度の空調空気の対流により、室内空間の快適性を向上することができる。
【００１２】
本発明の第３特徴構成は、還気を取込む還気口と空調空気を吹出す給気口とを有する空調装置が、前記天井チャンバーに設置され、
前記吹付け方向変更手段が、前記空調装置に設けられ、前記給気口における空調空気の吹出し方向を変更可能な風向可変機構部で構成されている点にある。
【００１３】
本構成によれば、天井チャンバーに、還気を取込む還気口と空調空気を吹出す給気口とを有する空調装置が設置され、更には、吹付け方向変更手段が、その空調装置の風向可変機構部で構成されているので、空調装置が備える風向可変機構部を当該吹付け方向変更手段として好適に利用することができ、例えば、吹付け方向変更手段として空調装置とは別の機構部を設ける必要がない。
【００１４】
本発明の第４特徴構成は、前記風向可変機構部が、前記給気口の前記還気口側の縁部から外方に延出形成された外方延出フラップを有し、当該外方延出フラップを揺動させて前記給気口における空調空気の吹出し方向を変更する点にある。
【００１５】
本構成によれば、天井チャンバーに設置された空調装置においては、給気口と還気口との間に上記外方延出フラップが存在することになるので、空調装置の給気口から吹出された空調空気が直接又は短時間で空調装置の還気口に取込まれる所謂ショートサーキットを抑制して、天井チャンバーに空調空気を好適に滞留させながら、給気口における空調空気の吹出し方向を変更することができる。
【００１６】
本発明の第５特徴構成は、還気を取込む還気口と空調空気を吹出す給気口とを有する空調装置が、前記天井チャンバーに設置され、
前記天井チャンバーにおいて、前記天井放射パネルと前記還気口とを接続する還気空間を、他の給気空間に対して区画する区画壁を備えた点にある。
【００１７】
本構成によれば、天井チャンバーに、還気を取込む還気口と空調空気を吹出す給気口とを有する空調装置が設置され、更には、天井放射パネルの貫通孔と還気口とを接続する還気空間が、他の給気空間に対して区画壁により区画されているので、空調装置の給気口から吹出された空調空気が直接又は短時間で空調装置の還気口に取込まれる所謂ショートサーキットを略確実に防止して、天井チャンバーに空調空気を一層好適に滞留させることができる。更に、天井チャンバーにおいて空調空気が供給される給気空間から天井放射パネルの貫通孔を通じて室内空間へ染み出される空調空気の染み出し量を、空調空気の給気口からの空調空気の吹出し量として調整することができるので、室内空間に対し適切な量の空調空気を供給して快適性を向上することができる。
【００１８】
本発明の第６特徴構成は、前記室内空間の温度を測定する室内温度測定手段と、
前記天井放射パネルの温度を測定するパネル温度測定手段と、
前記空調装置の運転出力を制御する運転制御手段とを備え、
前記運転制御手段が、起動運転時には、前記室内温度測定手段で測定された室内空間の温度に基づいて前記空調装置の運転出力を制御する起動運転制御を実行し、当該起動運転後の通常運転時には、前記パネル温度測定手段で測定された天井放射パネルの温度に基づいて前記空調装置の運転出力を制御する通常運転制御を実行する点にある。
【００１９】
本構成によれば、空調装置の運転出力制御において、起動運転の後の通常運転時には、天井放射パネルの温度に基づいて空調装置の運転出力が制御されるので、天井放射パネルの温度を適正な目標温度に維持して、室内空間の快適性を確保することができる。一方、起動運転時には、天井放射パネルの温度に代えて、室内空間の温度に基づいて空調装置の運転出力が制御されるので、天井放射パネルが既に目標温度に到達している場合であっても、室内空間の温度が目標温度に到達していない場合には、空調装置の運転出力を増加側に調整して、室内空間の温度を迅速に目標温度に到達させることができる。
【図面の簡単な説明】
【００２０】
【図１】第１実施形態の空調システムの概略構成図
【図２】第２実施形態の空調システムの概略構成図
【図３】運転制御装置による運転制御構成を説明するブロック図
【図４】運転制御装置による運転制御フローを説明するフロー図
【発明を実施するための形態】
【００２１】
本発明に係る空調システムの実施形態について、図面に基づいて説明する。尚、図１には、第１実施形態の空調システムが示されており、図２には、第２実施形態の空調システムが示されている。
先ずは、これら第１実施形態と第２実施形態との共通の構成について、説明する。
【００２２】
〔共通構成〕
本実施形態の空調システムは、図１及び図２に示すように、天井放射パネル３０により室内空間２と区画形成された天井チャンバー１に冷却又は加熱後の空調空気である給気ＳＡを供給する空調装置１０を備えており、その空調装置１０の運転出力を制御する運転制御装置２０（運転制御手段の一例）が当該空調装置１０に内蔵されている。
【００２３】
室内空間２の天井面を構成する天井放射パネル３０が設けられており、この天井放射パネル３０は、スラブ４０との間に、室内空間２と区画形成された天井チャンバー１を形成するように、上階のスラブ４０の下方に離間して敷設されている。
【００２４】
天井チャンバー１には、空調装置１０から給気ＳＡが供給され、その給気ＳＡにより満たされる。よって、天井放射パネル３０は、その天井チャンバー１に充満した給気ＳＡとの接触により冷却又は加熱される。すると、天井放射パネル３０では、室内空間２に対して熱吸収又は熱放射が行われ、その熱吸収又は熱放射により室内空間２が空調されることになる。
尚、このような天井放射パネル３０の材料については、適宜選定することができるが、例えば給気ＳＡとの接触により冷却又は加熱されて熱吸収又は熱放射を良好に行うことができる金属などのような材料を適宜選定することができる。
【００２５】
天井放射パネル３０には、多数の貫通孔３０ａが分散形成されている。よって、天井チャンバー１に充満する給気ＳＡは、これら多数の貫通孔３０ａを通じて室内空間２に染み出すことになる。すると、室内空間は、これら多数の貫通孔から染み出した空調空気の対流によっても空調されることになる。
【００２６】
空調装置１０は、還気ＲＡを取込む還気口１２と給気ＳＡを吹出す給気口１１とを有する所謂パッケージ型の空調装置として構成されており、天井チャンバー１にスラブ４０の下面に支持される状態で設置されている。
また、空調装置１０において、還気口１２は、本体底面において下向きに開口するように設けられており、上記給気口１１は、その本体底面の外周と本体周側面との境界部において斜め外方下向きに開口するように設けられている。
【００２７】
そして、この空調装置１０は、天井チャンバー１の空気を還気口１２から還気ＲＡとして取込み、当該取込んだ還気ＲＡを室外機（図示省略）との間で循環される冷媒との熱交換により冷却又は加熱し、当該冷却又は加熱された空調空気を給気口１１から給気ＳＡとして天井チャンバー１に供給する。
【００２８】
また、室内空間２には、当該室内空間２の温度を測定する温度センサ等からなる室内温度測定手段３５が設けられており、この室内温度測定手段３５の測定結果が、空調装置１０が備える運転制御装置２０に送られて、後述する運転制御装置２０による空調装置１０の出力制御等に利用される。
【００２９】
以上が、本実施形態の空調システムの基本構成であるが、この空調システムは、室内空間２全体を快適に空調するための構成を有しており、その構成の詳細について以下に説明を加える。
【００３０】
空調装置１０には、給気口１１における給気ＳＡの吹出し方向を変更可能な風向可変機構部１６が設けられている。即ち、この風向可変機構部１６は、給気口１１に設けられた水平フラップ１５を水平軸周りに揺動駆動可能なアクチュエータで構成されている。そして、風向可変機構部１６は、図３にも示すように、空調装置１０が備える運転制御装置２０により駆動制御され、フラップ１５を揺動駆動することにより、給気口１１における給気ＳＡの吹出し方向を上下に変更することができる。そして、このように給気口１１における給気ＳＡの吹出し方向を変更すれば、天井放射パネル３０に対する給気ＳＡの吹付け方向が変更されることから、この風向可変機構部１６は、天井放射パネル３０に対する給気ＳＡの吹付け方向を変更可能な吹付け方向変更手段として機能すると言える。
【００３１】
空調装置１０には、その下方に敷設された天井放射パネル３０の温度を測定するパネル温度測定手段１３が設けられている。このパネル温度測定手段１３の計測結果が、図３にも示すように、空調装置１０が備える運転制御装置２０に送られて、後述する運転制御装置２０による空調装置１０の出力制御や当該運転制御装置２０が機能する温度分布均一化手段２１による均一化処理等に利用される。
【００３２】
パネル温度測定手段１３は、赤外線サーモグラフィや輻射式温度センサを利用して、天井放射パネル３０の温度分布を測定する温度分布測定手段としても機能する。即ち、このパネル温度測定手段１３により、天井放射パネル３０の上面全体における赤外線強度分布が赤外線サーモグラフィや輻射式温度センサを利用して取得され、その赤外線強度分布を解析することにより、天井放射パネル３０の温度分布と、その平均温度を測定することができる。
【００３３】
そして、図３に示すように、運転制御装置２０は、所定のプログラムを実行することにより、温度分布測定手段として機能するパネル温度測定手段１３の測定結果に基づいて吹付け方向変更手段として機能する風向可変機構部１６を制御して、天井放射パネル３０の温度分布を均一化する均一化処理を実行する温度分布均一化手段２１として機能する。
即ち、空調装置１０の給気口１１から天井放射パネル３０に対して給気ＳＡを吹付けるにあたり、温度が適温（例えば給気ＳＡの温度）から大きく乖離している天井放射パネル３０の箇所については、給気ＳＡが積極的に吹付けられ、一方、温度が適温である天井放射パネル３０の箇所については給気ＳＡの吹付けが控えられることで、天井放射パネル３０の温度分布が均一化される。
【００３４】
そして、天井放射パネル３０の温度分布が均一化されることで、天井放射パネル３０全体から室内空間２へ染み出す給気ＳＡの温度が均一化されることに加えて、当該天井放射パネル３０による熱吸収又は熱放射が均一化される。このことで、給気ＳＡの染み出しや熱吸収又は熱放射により温度される室内空間２の温度分布が均一化されることになり、結果、室内空間２全体が快適に空調されることになる。
【００３５】
以上のように構成された空調装置１０は、室内空間２の快適性を保つべく、運転制御装置２０により適切な運転制御が行われる。
以下、その運転制御のフローについて、図４に基づいて説明を加える。尚、本実施形態で説明する運転制御は、説明を簡単にするために、空調装置１０において冷却した給気ＳＡを天井チャンバー１に供給する冷房運転時を想定したものとするが、当然、当該運転制御は、空調装置１０において加熱した給気ＳＡを天井チャンバー１に供給する暖房運転時にも適用可能である。
【００３６】
先ず、運転制御装置２０は、空調装置１０の運転制御として、起動運転制御（ステップ＃０２）と通常運転制御（ステップ＃０４）とを択一的に実行可能に構成されている。
【００３７】
起動運転制御（ステップ＃０２）は、主に空調装置１０の起動運転時（ステップ＃０１のＹＥＳ）において実行される運転制御である。この起動運転制御では、室内温度測定手段３５で測定された室内空間２の温度に基づいて空調装置１０の運転出力として例えば給気ＳＡの送風温度や送風量が制御される。
【００３８】
この起動運転制御では、室内温度測定手段３５で測定された室内空間２の温度が起動運転時の目標温度として設定された起動時設定温度を上回るか否かを判定し（ステップ＃０３）、室内空間２の温度が起動時設定温度を上回る場合（ステップ＃０３のＮＯ）には、空調装置１０の運転出力を増加側の出力である最大出力に維持する。すると、室内空間の温度が迅速に起動時設定温度に到達させることができ、快適な室内空間２を早期に実現することができる。
【００３９】
一方、通常運転制御（ステップ＃０４）は、上述した起動運転時において室内空間２の温度が目標温度である起動時設定温度以下となった場合（ステップ＃０３のＹＥＳ）などのように、主に起動運転後の通常運転時に実行される運転制御である。この通常運転制御では、パネル温度測定手段１３で測定された天井放射パネル３０の温度に基づいて空調装置１０の運転出力として例えば給気ＳＡの送風温度や送風量が制御される。
【００４０】
この通常運転制御では、温度分布均一化手段２１により上述したような均一化処理を実行して天井放射パネルの温度分布を均一化させながら、パネル温度測定手段１３で測定された天井放射パネル３０の温度が所望の目標パネル温度となるように、空調装置１０の運転出力を調整する。すると、天井放射パネル３０の温度が全体において均一に且つ適正な目標パネル温度に維持されて、室内空間２の快適性が確保されることになる。
【００４１】
更に、通常運転時において、室内温度測定手段３５で測定された室内空間２の温度が通常運転時の目標温度として設定された通常時設定温度以下である場合（ステップ＃０５のＹＥＳ）には、本制御フローが繰り返される。この場合、ステップ＃０１においては、起動運転中ではないと判断（ステップ＃０１のＮＯ）されることから、結果、上述した通常運転制御が継続して実行されることになる。
【００４２】
一方、通常運転時において、室内温度測定手段３５で測定された室内空間２の温度が通常時設定温度を上回った場合（ステップ＃０５のＮＯ）には、このような通常運転制御では室内空間２の快適性が維持できないと判断して、通常運転制御（ステップ＃０４）に代えて起動運転制御（ステップ＃０２）が実行される。そして、ステップ＃０３において室内温度測定手段３５で測定された室内空間２の温度が起動時設定温度に到達する（ステップ＃０２ＹＥＳ）までの間、空調装置１０の運転出力が最大に維持されて、室内空間２の温度の低下が図られることになる。
【００４３】
〔第１実施形態〕
以下、第１実施形態の空調システム特有の構成について、図１に基づいて説明を加える。
本実施形態の空調システムでは、天井チャンバー１において、天井放射パネル３０と還気口１２とを接続する還気空間１ｂを、他の給気空間１ａに対して区画する区画壁２５が設けられている。この区画壁２５は、天井放射パネル３０の上面から空調装置１０の還気口１２が設けられた底面の外周縁部に延びる筒状の部材として構成されている。
【００４４】
このような区画壁２５が設けられていることにより、天井チャンバー１については、空調装置１０の給気口１１が臨む給気空間１ａと、空調装置１０の還気口１２が臨む還気空間１ｂとに区画されることになる。更に、天井放射パネル３０に設けられた多数の貫通孔３０ａについても、給気空間１ａに通ずるものと、還気空間１ｂに通ずるものとで区分されることになる。
【００４５】
そして、給気空間１ａと還気空間１ｂとを区画壁２５により区画することにより、天井放射パネル３０の貫通孔３０ａを通じて還気空間１ｂに取込まれた室内空間２の空気は、給気空間１ａの空気と混じることなく、還気ＲＡとして還気口１２から空調装置１０に取込まれることになる。一方、空調装置１０で冷却又は加熱後に給気口１１から給気空間１ａに吹出された給気ＳＡは、上記還気空間１ｂに直接供給されることなく、天井放射パネル３０の貫通孔３０ａを通じて室内空間２に染み出されることになる。
即ち、空調装置１０の給気口１１から吹出された給気ＳＡが直接又は短時間で空調装置１０の還気口１２に取込まれる所謂ショートサーキットが略確実に防止されるので、天井チャンバー１の給気空間１ａに給気ＳＡが好適に滞留することになる。
【００４６】
尚、本実施形態の空調システムでは、空調装置１０の給気口１１からの給気ＳＡの吹出し方向を上下方向に変更するためのフラップ１５として、給気口１１の開口領域に複数並列配置された比較的小型の水平フラップ１５Ａが空調装置１０に設けられている。
【００４７】
〔第２実施形態〕
以下、第２実施形態の空調システム特有の構成について、図２に基づいて説明を加える。
本実施形態の空調システムは、上記第１実施形態の空調システムが備える区画壁２５（図１参照）を設けることなく、別の構成で上記ショートサーキットを抑制している。即ち、空調装置１０の給気口１１からの給気ＳＡの吹出し方向を上下方向に変更するためのフラップ１５として、給気口１１の還気口１２側の縁部から外方に延出形成された外方延出フラップ１５Ｂが空調装置１０に設けられている。そして、風向可変機構部１６は、この外方延出フラップ１５Ｂを揺動させて給気口１１における給気ＳＡの吹出し方向を変更するように構成されている。
【００４８】
このような外方延出フラップ１５Ｂを設けることにより、天井チャンバー１に設置された所謂パッケージ型の空調装置１０において、給気口１１と還気口１２との間に比較的大型の外方延出フラップ１５Ｂが存在することになる。このことで、空調装置１０の給気口１１から吹出された給気ＳＡがこの外方延出フラップ１５Ｂに邪魔されて、直接又は短時間で空調装置１０の還気口１２に取込まれることが抑制され、結果、天井チャンバー１に給気ＳＡが好適に滞留することになる。
【００４９】
この外方延出フラップ１５Ｂは、給気口１１の還気口１２側の縁部から先端部に向かう延出方向において、中間部において更に外方に屈曲する「く」の字形状を有する。このことから、給気口１１から天井チャンバー１に吹出された給気ＳＡは、その屈曲部の外面に沿って流通することで、空調装置１０から一層離間する方向に吹出されることになる。このことで、その給気ＳＡが直接又は短時間で還気口１２に取込まれるショートサーキットが一層抑制されることになる。また、この「く」の字形状の外方延出フラップ１５Ｂを最も上向きに揺動移動させると、給気ＳＡがスラブ４０に向けて吹付けられることになり、例えば給気ＳＡが持つ熱をスラブ４０に蓄熱して利用することができる。
【００５０】
尚、本実施形態において、図示は省略するが、空調装置１０の給気口１１からの給気ＳＡの吹出し方向を上下方向に変更するためのフラップ１５として、上記外方延出フラップ１５Ｂに加えて、上記第１実施形態で備えた水平フラップ１５Ａ（図１を参照。）を設け、風向可変機構部１６により、これら水平フラップ１５Ａと外方延出フラップ１５Ｂとを連動させて揺動駆動するように構成しても構わない。
【００５１】
〔別実施形態〕
（１）上記実施形態では、天井チャンバー１に空調空気を供給する空調装置１０を、天井チャンバー１に設置されたパッケージ型の空調装置として構成したが、本発明はこの構成に限定されるものではなく、例えば、ファンコイルユニットや他の形式の空調装置を利用したり、天井チャンバー１とは別の箇所に空調装置を設置し、その空調装置で冷却又は加熱後の空調空気を天井チャンバー１に供給するように構成しても構わない。
【００５２】
（２）上記実施形態では、天井放射パネル３０に対する給気ＳＡ（空調空気）の吹付け方向を変更可能な吹付け方向変更手段を、空調装置１０の給気口１１に設けられたフラップ１５Ａ，１５Ｂを上下に揺動駆動させて、給気口１１における給気ＳＡの吹出し方向を変更可能な風向可変機構部１６として構成したが、本発明はこの構成に限定されるものではなく、例えば、空調装置１０とは別の箇所において、給気口１１から吹出された給気ＳＡを天井放射パネル３０に向けて誘導すると共にその誘導方向を変更する機構部を吹付け方向変更手段として設けるなどのように、別の形態の吹付け方向変更手段を備えても構わない。
【００５３】
（３）上記実施形態では、パネル温度測定手段１３が、天井チャンバー１に設置された空調装置１０が備えるものであることから、そのパネル温度測定手段１３で測定される温度は、天井放射パネル３０の上面の温度となるが、本発明はこの構成に限定されるものではなく、パネル温度測定手段１３を室内空間２側に設置して、天井放射パネル３０の下面の温度を測定するように構成しても構わない。
【００５４】
（４）上記実施形態では、天井放射パネル３０に多数の貫通孔３０ａを設け、貫通孔３０ａから室内空間２への給気ＳＡの染み出しにより、室内空間２の空調を行うように構成したが、この貫通孔３０ａを減少又は省略して、主に天井放射パネル３０の室内空間２に対する熱吸収又は熱放射により、室内空間２の空調を行うように構成しても構わない。
【００５５】
（５）上記実施形態では、空調装置１０の運転制御において、起動運転から通常運転に切り替わった際に、温度分布均一化手段２１による均一化処理を開始して、天井放射パネルの温度分布を均一化させるように構成したが、起動運転時において当該均一化処理を実行するように構成しても構わない。
【符号の説明】
【００５６】
１      天井チャンバー
１ａ    給気空間
１ｂ    還気空間
２      室内空間
１０    空調装置
１１    給気口
１２    還気口
１３    パネル温度測定手段
１５Ｂ  外方延出フラップ
１６    風向可変機構部
２０    運転制御装置（運転制御手段）
２１    温度分布均一化手段
２５    区画壁
３０    天井放射パネル
３０ａ  貫通孔
３５    室内温度測定手段
ＲＡ    還気
ＳＡ    給気（空調空気）
【図１】
2018071837.tif 000003
【図２】
2018071837.tif 000004
【図３】
2018071837.tif 000005
【図４】
2018071837.tif 000006